(57)【特許請求の範囲】
【請求項１】
便室内の床に形成された便器排水管に接続されて床面に固定される洋便器用床フランジと、洋便器の大きさに応じた床面の位置に固定位置決めされる固定片とを用いて洋便器を床面に固定するよう、予め床面に固定された前記床フランジおよび固定位置決め予定の前記固定片間の寸法測定に用いられる洋便器設置用固定片の固定位置決め用メジャーにおいて、固定片本体と、前記洋便器用床フランジにおける洋便器の中心線上に設けられた差込部に嵌込まれるゲージと、前記固定片本体を洋便器の大きさに応じた固定位置に位置決めできるよう所定長さを有して前記固定片本体から延設され、前記ゲージを前記固定片本体に対してスライド可能に支持するゲージ支持部とを備え、更に、前記ゲージが、前記ゲージ支持部に収納可能なように前記ゲージ支持部と略同一長さを有して前記ゲージ支持部をスライドするスライド部分と、前記スライド部分に対して折畳み可能に係止されるよう前記差込部に嵌込まれる嵌込部分とからなり、不使用時には、前記嵌込部分を前記スライド部分に折畳んだ状態で前記ゲージが前記ゲージ支持部に収納される一方、使用時には、前記嵌込部分が前記スライド部分から展開された状態で前記差込部に嵌込まれて前記スライド部分を洋便器の大きさに応じた寸法にスライドさせるよう構成されていることを特徴とする洋便器設置用固定片の固定位置決め用メジャー。
【発明の詳細な説明】
【０００１】
【発明の属する技術分野】
この発明は、便室内の床に形成された便器排水管に接続されて床面に固定される洋便器用床フランジと、洋便器の大きさに応じた床面の位置に固定位置決めされる固定片とを用いて洋便器を床面に固定するよう、予め床面に固定された前記床フランジおよび固定位置決め予定の前記固定片間の寸法測定に用いられる洋便器設置用固定片の固定位置決め用メジャーに関するものである。
【０００２】
【従来の技術】
従来この種のメジャーとして、型紙を物差し代わりに用いたものがある。すなわち、型紙には取付洋便器に合わせて固定片固定位置（例えば、排水芯より３５１ｍｍおよび排水芯より３７５ｍｍ）を示すマークが設けられており、床面に固定された床フランジの排水ソケットに型紙をあて、前記マークに従って床面の所定の位置に固定片固定位置を罫書いた後、床面から型紙を取外し、別途設けた固定片を前記固定片固定位置に設置して、これを例えば木ネジで床に固定する。
【０００３】
また、別タイプのものとして、固定片本体と、この固定片本体から延設されたゲージ取付部と、このゲージ取付部に取外し可能に装着されるゲージとを備え、取付洋便器に合わせて前記ゲージの一端を取付洋便器の大きさに合わせてゲージ取付部に取付け、また、ゲージの他端を床フランジにおける便器の中心線上に設けられた差込部に嵌込むだけで固定片の位置決めが可能なメジャーが使用されている。
【０００４】
【発明が解決しようとする課題】
しかし、前者の型紙を用いた場合は、予め床面に固定された床フランジおよび固定位置決め予定の固定片間の寸法出しが難しいという欠点ある。
【０００５】
また、後者のゲージを用いた場合は、取付洋便器に合わせてゲージを組み立てることにより、寸法出し作業は確実に行えるけれども、ゲージとゲージ取付部とが別体であるので、不使用時において、前記ゲージを前記ゲージ取付部から離間させた状態では紛失するおそれが大であったり、また、ゲージを前記ゲージ取付部に取付けられた状態では、例えば、メジャーの搬送時に量的に嵩張り搬送量が低減するといった問題があった。
【０００６】
この発明は、上記問題に鑑みてなしたもので、その目的は、寸法出し作業を確実に行えるとともに、ゲージを紛失することなく、しかもコンパクト化が可能な洋便器設置用固定片の固定位置決め用メジャーを提供することを目的としている。
【０００７】
【課題を解決するための手段】
上記目的を達成するために、この発明は、便室内の床に形成された便器排水管に接続されて床面に固定される洋便器用床フランジと、洋便器の大きさに応じた床面の位置に固定位置決めされる固定片とを用いて洋便器を床面に固定するよう、予め床面に固定された前記床フランジおよび固定位置決め予定の前記固定片間の寸法測定に用いられる洋便器設置用固定片の固定位置決め用メジャーにおいて、固定片本体と、前記洋便器用床フランジにおける洋便器の中心線上に設けられた差込部に嵌込まれるゲージと、前記固定片本体を洋便器の大きさに応じた固定位置に位置決めできるよう所定長さを有して前記固定片本体から延設され、前記ゲージを前記固定片本体に対してスライド可能に支持するゲージ支持部とを備え、更に、前記ゲージが、前記ゲージ支持部に収納可能なように前記ゲージ支持部と略同一長さを有して前記ゲージ支持部をスライドするスライド部分と、前記スライド部分に対して折畳み可能に係止されるよう前記差込部に嵌込まれる嵌込部分とからなり、不使用時には、前記嵌込部分を前記スライド部分に折畳んだ状態で前記ゲージが前記ゲージ支持部に収納される一方、使用時には、前記嵌込部分が前記スライド部分から展開された状態で前記差込部に嵌込まれて前記スライド部分を洋便器の大きさに応じた寸法にスライドさせるよう構成されている。
【０００８】
すなわち、この発明は、固定片本体から延設されたゲージ支持部に、固定片本体に対してスライドするゲージを設けて固定片本体を洋便器の大きさに応じた固定位置に位置決めできるようにしたものである。
【０００９】
つまり、前記ゲージのスライド部分を前記ゲージ支持部と略同一長さに設定し、前記ゲージの嵌込部分を前記スライド部分に対して折畳み可能に係止させるよう構成し、不使用時には、前記嵌込部分を前記スライド部分に折畳んだ状態で前記ゲージが前記ゲージ支持部に収納されるようにし、また、使用時には、前記嵌込部分が前記スライド部分から展開された状態で洋便器用床フランジにおける便器の中心線上に設けられた差込部に嵌込まれて前記スライド部分が洋便器の大きさに応じた寸法にスライドできるようにし、使用時の前記寸法出し作業、すなわち、予め床面に固定された床フランジおよび固定位置決め予定の前記固定片本体間の寸法出しを確実に行える。
【００１０】
【発明の実施の形態】
以下、この発明の実施の形態を図面に基づいて説明する。なお、それによってこの発明は限定を受けるものではない。
図１〜図３において、１は洋便器用床フランジで、便室内の床２に形成された塩化ビニル樹脂製の便器排水管３に接続される。この床フランジ１は、排水ソケット４とゴムパッキン５からなり、排水ソケット４の差込部分６外周に塩化ビニル樹脂用接着剤を塗り、差込部分６を排水管３にいっぱいまで押込むことで床面Ａに固定される。また、ゴムパッキン５は変形しにくく洋便器７とも高密着性を保つ。排水ソケット４の両側には突起部８と板状のゲージ差込部９が設けられており、洋便器７の取付中心線Ｂに突起部８と差込部９を合わせることにより床フランジ１の芯出しが行われる。
【００１１】
１０は塩化ビニル樹脂製のメジャーで、床フランジ１とは反対に洋便器７の前面に設置される固定片本体１１と、差込部９に嵌込まれる物差し状のゲージ１２と、ゲージ１２を固定片本体１１に対してスライド可能に支持するゲージ支持部１３とから構成されている。更に、ゲージ１２は、ゲージ支持部１３に収納可能なようにゲージ支持部１３と略同一長さを有してゲージ支持部１３の案内溝１３ｂをスライドするスライド部分１４と、スライド部分１４に対して折畳み可能に係止されるよう差込部９に嵌込まれる嵌込部分１５とからなる。そして、スライド部分１４の上面には、排水管３の排水芯Ｃより３５１ｍｍおよび排水芯Ｃより３７５ｍｍを示すマーカー１６および１７がそれぞれ設けられており、スライド部分１４の下面の固定片本体１１側には、案内片１４ａが案内溝１３ｂにスライド可能に嵌込まれている。この案内片１４ａの位置は、スライド部分１４を最大長さまで伸長したときにマーカー１７がゲージ支持部１３の端面１３ａにくるよう設定されている。１８は折畳み部である。
【００１２】
なお、１９，１９は、排水ソケット４に設けられた固定孔で、差込部分６を排水管３に押込んだ後、固定孔１９，１９に四角（六角）ボルト２０，２０を立て、これに例えば止め金具（図示せず）を通し、さらに、木ネジ２１，２１を用いることで床フランジ１を床２に固定できる。２１ａ，２１ａは木ネジ２１，２１の貫通孔である。また、洋便器７の固定は、便器排水口２２周辺のごみや水分を取り除き、排水ソケット４に差し込み、洋便器７後方部をナット２３で締付けることにより行われる。ここで、２４は、洋便器７に設けられた、ボルト２０の貫通孔であり、２５は座金、２６は化粧キャップである。一方、スライド部分１４を洋便器７の大きさに応じた寸法にスライドさせることによって洋便器７の前面側に設置される固定片本体１１の上面には、木ネジ２７用貫通孔２８が設けられ、前面には皿木ネジ２９用のスリット３０が設けられている。そして、皿木ネジ２９を洋便器７正面の取付孔３１から固定片本体１１にねじ込み、洋便器７を固定する。
【００１３】
また、図３において、３２は、ゲージ１２の嵌込部分１５の先端に形成された嵌込ピンで、差込部９に形成された嵌込孔３３，３３に嵌込まれる。４０は、折畳み時にピン３２が嵌込まれる係止孔である。
【００１４】
以下動作について説明する。
まず、洋便器７の取付中心線Ｂを罫書く。続いて、排水ソケット４を排水管３に押込む。この際、排水ソケット４の突起部８と差込部９を取付中心線Ｂに合わせる。その後、排水ソケット４にボルト２０，２０を立て、木ネジ２１，２１を用いることで床フランジ１を床２に固定する。
【００１５】
続いて、嵌込部分１５をスライド部分１４上に折畳んだ状態でゲージ支持部１３に収納されているゲージ１０を用いて固定片本体１１を洋便器７の大きさに応じた固定位置に位置決めする。すなわち、嵌込部分１５をスライド部分１４から展開するとともに、スライド部分１４を洋便器７の大きさに応じた寸法にスライドさせる。図２、３に示すように、マーカー１６がゲージ支持部１３の端面１３ａにくるまでスライド部分１４を伸長させる一方、展開された嵌込部分１５を、中心線Ｂ上に設けた差込部９に嵌込む。これにより、排水管３の排水芯Ｃより３５１ｍｍの位置に固定片本体１１を位置決めできる。
【００１６】
その後、固定片本体１１を床面Ａに木ネジ２７で固定する。しかる後、便器排水口２２周辺のごみや水分を取り除き、排水ソケット４に差し込み、洋便器７後方部をナット２３で締付ける一方、前面では皿木ネジ２９を洋便器７正面の取付孔３１から固定片本体１１にねじ込み、洋便器７を固定する。
【００１７】
このように上記実施形態では、メジャー１０の不使用時には、嵌込部分１５をスライド部分１４に折畳んだ状態でゲージ１２がゲージ支持部１３に収納されるようにしたので、ゲージ１２を紛失することなく、しかもコンパクト化が可能である。また、使用時には、嵌込部分１５がスライド部分１４から展開された状態で中心線Ｂ上に設けられた差込部９に嵌込まれてスライド部分１４が洋便器７の大きさに応じた寸法にスライドできるようにしたので、使用時の寸法出し作業、すなわち、予め床面Ａに固定された床フランジ１および固定位置決め予定の固定片本体１１間の寸法出しを確実に行える。
【００１８】
【発明の効果】
以上説明したようにこの発明によれば、固定片本体から延設されたゲージ支持部に、固定片本体に対してスライドするゲージを設けて固定片本体を洋便器の大きさに応じた固定位置に位置決めできるようにしたので、寸法出し作業を確実に行えるとともに、ゲージを紛失することなく、しかもコンパクト化が可能である。
【図面の簡単な説明】
【図１】この発明の実施形態を示す分解斜視図である。
【図２】上記実施形態における構成説明図である。
【図３】上記実施形態における使用説明図である。
【符号の説明】
１…洋便器用床フランジ、７…洋便器、１０…メジャー、１１…固定片本体、１２…ゲージ、１３…ゲージ支持部、１４…スライド部分、１５…嵌込部分、１６，１７…マーカー、１８…折畳み部。
【図１】
0003623841.tif 000002
【図２】
0003623841.tif 000003
【図３】
0003623841.tif 000004